(57)【要約】【課題】  給湯機器の制約がなく、湯はり運転に連動させて暖房運転が可能となる浴室暖房装置を提供する。【解決手段】  給湯機器３と浴槽２を繋ぐ循環配管４ａ，４ｂに、給湯機器３から浴槽２へ向かって一方向のみに湯が流れる湯はり動作を検知するセンサー５ａ，５ｂを設け、このセンサー５ａ，５ｂの信号を受けて、浴室暖房機７を運転させるように構成する。【選択図】  図１
2005195235.tif 000002
【特許請求の範囲】
【請求項１】
給湯機器と浴槽を繋ぐ循環配管に、給湯機器から浴槽へ向かって一方向のみに湯が流れる湯はり動作を検知するセンサーを設け、該センサーの信号を受けて浴室暖房機を運転させるように構成したことを特徴とする浴室暖房装置。
【請求項２】
給湯機器と浴槽を繋ぐ循環配管に、給湯機器から浴槽へ向かって一方向のみに湯が流れる湯はり動作を検知するセンサーを設け、該センサーの信号を受けて脱衣室暖房機を運転させるように構成したことを特徴とする浴室暖房装置。
【発明の詳細な説明】
【技術分野】
【０００１】
本発明は、浴室暖房装置に関するものである。
【背景技術】
【０００２】
従来、例えば特許文献１に開示されているように、給湯機器のリモコンの湯はりスイッチが押された場合に、給湯機器のリモコンから信号を発信し、それを受けた暖房機が暖房運転を開始するように構成した浴室用暖房装置が存在する。
また、特許文献２に開示されているように、給湯機器と浴槽を繋ぐ循環配管に水位センサ，流量スイッチを設けて、給湯機器の湯はり動作を検知するように構成した給湯風呂装置が存在する。
【特許文献１】特開平３−１６０２２６号公報
【特許文献２】特開平８−１３５９９０号公報
【発明の開示】
【発明が解決しようとする課題】
【０００３】
上記従来の給湯機器のリモコンから浴室暖房機に向かって信号を発信させて、浴室暖房機の運転を開始させる構成では、給湯機器のリモコンには信号発信装置が設けられている必要があり、また浴室暖房機には信号受信装置が設けられている必要があり、メーカーの違う給湯機器と暖房機ではそのような構成を採用することはできず、給湯機器やリモコンの種類が限定されてしまうという問題点があった。
【課題を解決するための手段】
【０００４】
本発明は上記従来の問題点に鑑み案出したものであって、違うメーカーの給湯機器と暖房機であっても、良好に湯はり動作に連動させて暖房運転を行うことのできる浴室暖房装置を提供せんとするものであり、その請求項１は、給湯機器と浴槽を繋ぐ循環配管に、給湯機器から浴槽へ向かって一方向のみに湯が流れる湯はり動作を検知するセンサーを設け、該センサーの信号を受けて浴室暖房機を運転させるように構成したことである。
【０００５】
また、請求項２は、給湯機器と浴槽を繋ぐ循環配管に、給湯機器から浴槽へ向かって一方向のみに湯が流れる湯はり動作を検知するセンサーを設け、該センサーの信号を受けて脱衣室暖房機を運転させるように構成したことである。
【発明の効果】
【０００６】
本発明は、給湯機器と浴槽を繋ぐ循環配管に湯はり動作を検知するセンサーを設け、該センサーの信号を受けて浴室暖房機を運転させるように構成したことにより、センサーにより給湯機器の湯はり動作を検知して、そのセンサーからの信号で浴室暖房機の運転を開始させることができ、また、湯はり完了に合わせて暖房運転を開始させる等の制御を行うことができ、給湯機器が限定されにくいため、汎用的なシステムとなる。
【０００７】
また、給湯機器と浴槽を繋ぐ循環配管に湯はり動作を検知するセンサーを設け、該センサーの信号を受けて脱衣室暖房機を運転させるように構成したことにより、給湯機器の湯はり動作と連動させて脱衣室暖房機を運転させて、脱衣室を良好に暖房することができるものとなり、給湯機器やリモコンが限定されにくくなり、汎用的なシステムとなる。
【実施例】
【０００８】
以下、本発明の実施例を図面に基づいて説明する。
図１は、浴室と脱衣室の概略構成図である。
浴室１内に設置された浴槽２と、屋外に設置された給湯機器３は、往路配管４ａと復路配管４ｂで構成された循環配管を介して繋がれている。
この往路配管４ａと復路配管４ｂの、浴槽２に取り付けられた追焚き循環口２ａ側には、それぞれ流量センサー５ａ，５ｂが設けられている。
流量センサー５ａ，５ｂには、それぞれ信号線６ａ，６ｂが接続されて、信号線６ａ，６ｂは、浴室１の天井に設けられた浴室暖房機７に接続されている。
また、この浴室暖房機７と、脱衣室９に設けられた脱衣室暖房機１０は、連動用通信線８を介して接続されている。
なお、図中１１は台所に設けられた台所リモコンであり、図中１２は浴室１内に設けられた浴室リモコンであり、図中１３は浴室内に設けられた浴室暖房機７用のリモコンであり、図中１４は脱衣室９に設けられた脱衣室暖房機１０用のリモコンである。
【０００９】
給湯機器３で浴槽２内の湯を追焚き運転する場合は、浴槽２内の湯を追焚き循環口２ａから往路配管４ａ内に吸い出し、給湯機器３内で加熱して、復路配管４ｂを介し加熱した湯を浴槽２内に循環させて追焚きを行う。
また、浴槽２内への湯はり運転時には、給湯機器３内で沸かされた湯を、往路配管４ａ及び復路配管４ｂを通して浴槽２内に流入させるのである。
【００１０】
即ち、追焚き運転時には、往路配管４ａと復路配管４ｂ内の湯の流れは逆になるが、湯はり運転時には、往路配管４ａと復路配管４ｂ内を流れる湯は、給湯機器３側から浴槽２側へ向かう一方向の流れとなる。
従って、この流れ方向の違いを流量センサー５ａ，５ｂで検知することができ、湯が給湯機器３から浴槽２に向かう一方向のみに流れている時には、流量センサー５ａ，５ｂで湯はり動作であることを良好に検知することができるものである。
【００１１】
このように、湯はり動作を流量センサー５ａ，５ｂで検知した時には、信号線６ａ，６ｂを介して、湯はり信号が浴室暖房機７に伝達されて、この信号を受けて浴室暖房機７は暖房を開始することができ、給湯機器３の湯はり動作と同時に、浴室暖房機７の運転を開始して浴室１内を良好に暖房することができるものとなる。
なお、浴室暖房機７内の制御により、湯はり動作と同時に暖房運転を開始させる場合の他、湯はり完了に合わせて暖房運転を開始するようにしても良く、また、湯はり完了後に暖房運転を開始するように制御しても良い。
なお、浴室暖房機７と脱衣室暖房機１０は連動用通信線８により結ばれているため、浴室暖房機７から信号を脱衣室暖房機１０に送り、浴室暖房機７と連動させて脱衣室暖房機１０を運転させ、良好に脱衣室９を暖房することができるものとなる。
【００１２】
なお、本例では、往路配管４ａ及び復路配管４ｂを通って、給湯機器３から浴槽２内に向かって湯が流れる時に、湯はり動作を検知できるように構成しているが、往路配管４ａ又は復路配管４ｂの何れか一方のみを通り、給湯機器３から浴槽２に向かって湯が流され、他方の配管は閉じられて湯の流れがない場合にも、湯はり動作であると検知できるように構成しても良い。
即ち、追焚き運転時のように往路配管４ａと復路配管４ｂでは逆方向に湯が流れることなく、一方の配管４ａ又は４ｂを通り、給湯機器３から浴槽２側に向かう一方向のみに湯が流れる場合も、湯はり動作であると検知できるように構成しておくことができる。
【００１３】
また、本例では、浴室暖房機７と脱衣室暖房機１０は有線で接続されているが、電波等の無線で浴室暖房機７から脱衣室暖房機１０に信号を送るような構成であっても、同様に浴室暖房機７に連動させて脱衣室暖房機１０を暖房運転させることができるものである。
なお、更には、流量センサー５ａ，５ｂに接続する信号線６ａ，６ｂを、脱衣室暖房機１０に直接接続して、流量センサー５ａ，５ｂからの信号を直接脱衣室暖房機１０に送るように構成しても良い。
【００１４】
このような構成では、台所に設置されている台所リモコン１１の湯はりスイッチをＯＮすることにより、給湯機器３が湯はり運転を開始して、浴槽２内に湯をはり始めると、これを流量センサー５ａ，５ｂが検知して、浴室暖房機７に信号を送り、給湯機器３の湯はり運転に連動させて、浴室暖房機７を運転させることができ、また、湯はり運転に連動させて、脱衣室暖房機１０も暖房運転させることができるものとなる。
【００１５】
従来では、給湯機器３が湯はり運転を開始すると、浴室リモコン１２から湯はり信号を浴室暖房機７に向かって発信し、これにより浴室暖房機７が運転を開始していたが、この場合は、浴室リモコン１２に発信装置が設けられ、また浴室暖房機７には受信装置が設けられている必要があった。
本発明の構成では、そのような発信装置や受信装置を浴室リモコン１２及び浴室暖房機７に設けておく必要はなく、そのため、メーカーの異なる給湯機器３と浴室暖房機７及び脱衣室暖房機１０が設置される場合でも、良好に流量センサー５ａ，５ｂで湯はり動作を検知して、その信号を暖房機７，１０に送り、連動させて暖房運転を行うことができ、給湯機器３やリモコン１２の種類が限定されてしまうことがないため、より汎用的なシステムとなる。
【図面の簡単な説明】
【００１６】
【図１】浴室と脱衣室の概略構成図である。
【符号の説明】
【００１７】
１  浴室
２  浴槽
２ａ  追焚き循環口
３  給湯機器
４ａ  往路配管
４ｂ  復路配管
５ａ，５ｂ  流量センサー
６ａ，６ｂ  信号線
７  浴室暖房機
８  連動用通信線
９  脱衣室
１０  脱衣室暖房機
１１  台所リモコン
１２  浴室リモコン
【図１】
2005195235.tif 000003